【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】
複数の行配線及び列配線と、それらに接続され、マトリクス上に配置された画像形成素子を含む表示パネルと、
前記行配線を順次選択し走査する走査手段と、
入力された画像データに対応して、データの値が前記入力された画像データの値より大きい補正画像データを算出する補正画像データ算出手段と、
前記補正画像データもしくは前記画像データの値を調整する調整手段と、
前記列配線に接続されており、前記調整手段からの出力を入力として、前記列配線に変調信号を出力する変調手段と、
を有しており、
前記調整手段は、表示領域の全体もしくは一部に対応する前記補正画像データの値のうちの最大値を検出する最大値検出部と、前記補正画像データまたは前記画像データに乗じるゲインを算出するゲイン算出部と、を有しており、
前記ゲイン算出部は、前記最大値もしくは複数のフレームに対応して検出される複数の前記最大値を平滑化した値が前記変調手段の入力範囲に収まるようにゲインを算出することを特徴とする画像表示装置。
【請求項２】
前記補正画像データは、前記画像データに対応して、少なくとも前記行配線の抵抗によって発生する電圧降下の影響を補正するデータである請求項１に記載の画像表示装置。
【請求項３】
前記補正画像データは、前記行配線の抵抗による電圧降下によって生じる輝度の低下を補償するための補正を、前記画像データに対して行ったデータである請求項１に記載の画像表示装置。
【請求項４】
前記調整された補正画像データの値が前記変調手段の入力範囲に完全に収まるように制限するリミッタを有することを特徴とする請求項１乃至３のいずれか１項に記載の画像表示装置。
【請求項５】
前記ゲインは、フレームごとに算出される適応型ゲインであることを特徴とする請求項１乃至４のいずれか１項に記載の画像表示装置。
【請求項６】
前記調整手段は、フレームごとの前記ゲインの変動を制限するためのフィルタ手段を有することを特徴とする請求項５に記載の画像表示装置。
【請求項７】
前記調整手段は、表示画像のシーンが変わったことを検出するシーン切り替え判別部をさらに備え、
前記フィルタ手段は、シーンの切り替えが判別されたときには、前記ゲインの変動を制限した処理を行わないことを特徴とする請求項６に記載の画像表示装置。
【請求項８】
前記シーン切り替え判別部は、入力された画像データのフレームごとの平均輝度レベル（ＡＰＬ）のフレーム間差分及び／またはフレームごとの補正画像データの最大値のフレーム間差分によりシーンの切り替えを判別することを特徴とする請求項７に記載の画像表示装置。
【請求項９】
前記調整手段は、前記ゲインを予め設定可能な上限値以下に制限するゲイン制限部を有することを特徴とする請求項１乃至３のいずれか１項に記載の画像表示装置。
【請求項１０】
前記最大値検出部は、フレーム内の補正画像データのうち、表示領域全体ではなく、予め定められた領域内の補正画像データの最大値を検出することを特徴とする請求項１乃至３のいずれか１項に記載の画像表示装置。
【請求項１１】
前記シーン切り替え判別部は、
該表示領域を複数のエリアに分割し、各々のエリアごとにシーンの切り替えを判別し、
各々のエリアごとの判別結果から、画面全体のシーン切り替えを判別することを特徴とする請求項７に記載の画像表示装置。
【請求項１２】
前記調整手段は、前記画像表示装置の周囲の照度を検出し、検出結果に応じた信号を出力する外部照度入力部を備え、該外部照度入力部の出力信号に応じて前記ゲインを変調することを特徴とする請求項１乃至３のいずれか１項に記載の画像表示装置。
【請求項１３】
前記調整手段は、
フレームごとに算出される適応型ゲインを出力する第１の動作モードと、フレームごとに変化しない予め設定された固定型ゲインを出力する第２の動作モードとを含む、少なくとも２つの動作モードを備えることを特徴とする請求項１乃至３のいずれか１項に記載の画像表示装置。
【請求項１４】
前記調整手段は、
入力される映像信号がテレビジョン用の映像信号であるときは前記第１の動作モードを選択し、
前記入力される映像信号がコンピュータ用の映像信号であるときは前記第２の動作モードを選択することを特徴とする請求項１３に記載の画像表示装置。
【請求項１５】
複数の行配線及び列配線と、それらに接続され、マトリクス上に配置された画像形成素子を含む表示パネルと、
前記行配線を順次選択し走査する走査手段と、
前記列配線に接続された変調手段と、を備える画像表示装置であって、
入力された画像データに対応して、データの値が前記入力された画像データの値より大きい補正画像データを算出する補正画像データ算出手段と、
前記補正画像データの値が前記変調手段の入力範囲に収まるように前記補正画像データもしくは前記画像データの値を調整する調整手段と、を有し、
前記変調手段は、前記調整手段の出力を入力として、前記列配線に変調信号を出力し、
前記補正画像データ算出手段は、
前記入力された画像データに基づいて、離散的な水平表示位置及び１水平走査期間内の離散的な時間のそれぞれにおける前記行配線の抵抗による電圧降下の量を算出する手段と、
前記電圧降下の量から、前記電圧降下の量を算出した離散的な水平表示位置及び１水平走査期間内の離散的な時間に対応する補正画像データを算出する離散補正画像データ算出手段と、
前記離散補正画像データ算出手段の出力を補間して、補間された補正画像データを算出する補正画像データ補間手段と、を備えることを特徴とする画像表示装置。
【請求項１６】
前記調整手段は、
前記離散補正画像データ算出手段の出力に対し、値を調整するためのゲインを乗算する手段と、さらに前記補正画像データ補間手段の出力が前記変調手段の入力範囲に収まるように前記補正画像データの値を制限するリミッタとを有することを特徴とする請求項１５に記載の画像表示装置。
【請求項１７】
前記変調信号は、前記画像データに基づいてパルス幅が変調された信号であることを特徴とする請求項１乃至１６のいずれか１項に記載の画像表示装置。
【請求項１８】
前記画像形成素子は表面伝導型放出素子であることを特徴とする請求項１乃至１７のいずれか１項に記載の画像表示装置。
【手続補正２】
【補正対象書類名】明細書
【補正対象項目名】００１２
【補正方法】変更
【補正の内容】
【００１２】
【課題を解決するための手段】
上記目的を達成するために本発明にあっては、以下の構成を採用する。複数の行配線及び列配線と、それらに接続され、マトリクス上に配置された画像形成素子を含む表示パネルと、前記行配線を順次選択し走査する走査手段と、入力された画像データに対応して、データの値が前記入力された画像データの値より大きい補正画像データを算出する補正画像データ算出手段と、前記補正画像データもしくは前記画像データの値を調整する調整手段と、前記列配線に接続されており、前記調整手段からの出力を入力として、前記列配線に変調信号を出力する変調手段と、を有しており、前記調整手段は、表示領域の全体もしくは一部に対応する前記補正画像データの値のうちの最大値を検出する最大値検出部と、前記補正画像データまたは前記画像データに乗じるゲインを算出するゲイン算出部と、を有しており、前記ゲイン算出部は、前記最大値もしくは複数のフレームに対応して検出される複数の前記最大値を平滑化した値が前記変調手段の入力範囲に収まるようにゲインを算出することを特徴とする画像表示装置。
前記補正画像データは、前記画像データに対応して、少なくとも前記行配線の抵抗によって発生する電圧降下の影響を補正するデータであるとよい。
前記補正画像データは、前記行配線の抵抗による電圧降下によって生じる輝度の低下を補償するための補正を、前記画像データに対して行ったデータであるとよい。
前記調整された補正画像データの値が前記変調手段の入力範囲に完全に収まるように制限するリミッタを有するとよい。
前記ゲインは、フレームごとに算出される適応型ゲインであるとよい。
前記調整手段は、フレームごとの前記ゲインの変動を制限するためのフィルタ手段を有
するとよい。
前記調整手段は、表示画像のシーンが変わったことを検出するシーン切り替え判別部をさらに備え、前記フィルタ手段は、シーンの切り替えが判別されたときには、前記ゲインの変動を制限した処理を行わないことが好ましい。
前記シーン切り替え判別部は、入力された画像データのフレームごとの平均輝度レベル（ＡＰＬ）のフレーム間差分及び／またはフレームごとの補正画像データの最大値のフレーム間差分によりシーンの切り替えを判別することが好ましい。
前記調整手段は、前記ゲインを予め設定可能な上限値以下に制限するゲイン制限部を有することが好ましい。
前記最大値検出部は、フレーム内の補正画像データのうち、表示領域全体ではなく、予め定められた領域内の補正画像データの最大値を検出することが好ましい。
前記シーン切り替え判別部は、該表示領域を複数のエリアに分割し、各々のエリアごとにシーンの切り替えを判別し、各々のエリアごとの判別結果から、画面全体のシーン切り替えを判別することが好ましい。
前記調整手段は、前記画像表示装置の周囲の照度を検出し、検出結果に応じた信号を出力する外部照度入力部を備え、該外部照度入力部の出力信号に応じて前記ゲインを変調することが好ましい。
前記調整手段は、フレームごとに算出される前記適応型ゲインを出力する第１の動作モードと、フレームごとに変化しない予め設定された固定型ゲインを出力する第２の動作モードとを含む、少なくとも２つの動作モードを備えることが好ましい。
前記調整手段は、入力される映像信号がテレビジョン用の映像信号であるときは前記第１の動作モードを選択し、前記入力される映像信号がコンピュータ用の映像信号であるときは前記第２の動作モードを選択することが好ましい。
複数の行配線及び列配線と、それらに接続され、マトリクス上に配置された画像形成素子を含む表示パネルと、前記行配線を順次選択し走査する走査手段と、前記列配線に接続された変調手段と、を備える画像表示装置であって、入力された画像データに対応して、データの値が前記入力された画像データの値より大きい補正画像データを算出する補正画像データ算出手段と、前記補正画像データの値が前記変調手段の入力範囲に収まるように前記補正画像データもしくは前記画像データの値を調整する調整手段と、を有し、前記変調手段は、前記調整手段の出力を入力として、前記列配線に変調信号を出力し、前記補正画像データ算出手段は、前記入力された画像データに基づいて、離散的な水平表示位置及び１水平走査期間内の離散的な時間のそれぞれにおける前記行配線の抵抗による電圧降下の量を算出する手段と、前記電圧降下の量から、前記電圧降下の量を算出した離散的な水平表示位置及び１水平走査期間内の離散的な時間に対応する補正画像データを算出する離散補正画像データ算出手段と、前記離散補正画像データ算出手段の出力を補間して、補間された補正画像データを算出する補正画像データ補間手段と、を備えることを特徴とする画像表示装置。
前記調整手段は、前記離散補正画像データ算出手段の出力に対し、値を調整するためのゲインを乗算する手段と、さらに前記補正画像データ補間手段の出力が前記変調手段の入力範囲に収まるように前記補正画像データの値を制限するリミッタとを有することが好ましい。
前記変調信号は、前記画像データに基づいてパルス幅が変調された信号であることが好ましい。
前記画像形成素子は表面伝導型放出素子であることが好ましい。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】